(57)【要約】【課題】本発明は各種音響機器に使用されるスピーカに関するものであり、フレキシブルワイヤーの中継接続を容易にしたスピーカを提供するものである。【解決手段】本発明のスピーカは、樹脂製のフレーム１ａに設置されるターミナル２とボイスコイル３を接続する中継部１１に一対の挟持部１１ｆを開口１１ｇを内側に向けて設け、その中央部に円錐形の中央壁１１ｅを設けて、フレキシブルワイヤー６ａを上方から容易に挿入、位置決めできるようにしたものであり、組み込み作業効率の向上と、機械組み立ても可能なスピーカを提供できるものである。【選択図】図１
2005150900.tif 000002
【特許請求の範囲】
【請求項１】
少なくともボイスコイルの線輪の端末に一端が接続され、他端がフレームに設けられたスピーカターミナルの端子板に接続されたフレキシブルワイヤーと、前記ボイスコイルと前記スピーカターミナル間に前記フレームに一体または別体のものを前記フレームに装着して設けられた中継部とで構成されるスピーカであって、前記中継部が中央溝を介して前記スピーカターミナル側とボイスコイル側に対峙する２つの壁部と、ボイスコイル側の壁部に設けられた一対のガイド溝と、スピーカターミナル側の壁部の略中央に設けられた中央壁と、この中央壁の両側に設けられた中央壁側の下方に開口を設けた前記フレキシブルワイヤーを位置決めする挟持部とで構成されたスピーカ。
【請求項２】
ガイド溝がＶ字状である請求項１に記載のスピーカ。
【請求項３】
中央壁の裾野が挟持部の開口またはその近傍または挟持部の内部まで連続している請求項１に記載のスピーカ。
【請求項４】
少なくとも中央溝とスピーカターミナル側の壁部の外側に平坦部を設けた請求項１に記載のスピーカ。
【請求項５】
上方に配置されたフレキシブルワイヤーを先端に凹部を設けた１対の突片のこの凹部に引掛けた状態で、請求項４に記載のスピーカの２つの平坦部分に前記フレキシブルワイヤーおよびまたは前記突片を押圧し、摺接させて、前記フレキシブルワイヤーを挟持部の開口から内部に案内配置するスピーカの製造方法。
【発明の詳細な説明】
【技術分野】
【０００１】
本発明は各種音響機器に使用されるスピーカおよびその製造方法に関するものである。
【背景技術】
【０００２】
機器側の音声信号増幅部と接続するスピーカ用端子は機器との接続の容易さからスピーカの前面よりに設けられることが多くなってきている。
【０００３】
この従来のスピーカを図４〜図６により説明する。
【０００４】
図４は従来のスピーカの半断面図であり、図５は同上部から見た振動板を除いた状態の上面図を示すものであり、図６は同要部である中継部へのフレキシブルワイヤーの取り付けを説明する中継部の斜視図である。
【０００５】
同図によると、７はセンターポールを有する下部プレート７ｂと環状のマグネット７ｃと上部プレート７ｄからなる磁気回路であり、１はこの磁気回路７の上部に結合されたプラスチック製のフレームであり、３は前記磁気回路７の磁気ギャップ７ａにはめ込まれた線輪とこれを巻回したボイスコイルボビンからなるボイスコイルであり、４は内周をこのボイスコイル３に結合し、外周を前記フレーム１に結合して前記ボイスコイル３を支持するダンパーであり、５はエッジ部を介して前記フレーム１に外周を結合し、前記ボイスコイル３に内周を結合した振動板である。
【０００６】
２はフレーム１に装着されたスピーカターミナルであり、筐体部２ａには図示しない機器側の音声信号増幅部に接続されたコネクタが挿入される。２ｂはこのコネクタと接続される前記筐体部２ａに圧入またはアウトサート成形された端子板である。８は前記フレーム１に装着された中継部であり、挟持部８ａにボイスコイル３の線輪の端末とターミナル２を接続するフレキシブルワイヤー６を夫々両側から挿入、挟み込み、壁８ｂの溝部８ｅに沿わせて持ち上げ、スピーカ駆動時（ボイスコイル３が上下動する）に前記振動板５や前記ダンパー４と接触して異音が発生することのない適宜の空間位置に配置するものである。
【０００７】
また、この出願の発明に関連する先行技術文献情報としては、例えば、特許文献１が知られている。
【特許文献１】特開２０００−３２４５９６号公報
【発明の開示】
【発明が解決しようとする課題】
【０００８】
しかしながら、上述のスピーカでは中継用の挟持部８ａにフレキシブルワイヤー６を挟持・固定するのに夫々の挟持部に対して異なった側方からはめ込む必要があり、挿入作業に手間がかかり、ボイスコイル側の壁８ｂでの溝８ｅに沿わせるために、フレキシブルワイヤー６を矯正しなければならないことになり、挿入作業でのばらつきによる不具合発生の要因を増加させることとなっていた。
【０００９】
本発明は前記課題を解決した中継固定部を有する組み立て作業の容易なスピーカを提供するものである。
【課題を解決するための手段】
【００１０】
前記課題を解決するために本発明のスピーカの請求項１に記載のものは、前記中継部が中央溝を介して前記スピーカターミナル側とボイスコイル側に対峙する２つの壁部と、ボイスコイル側の壁部に設けられた一対のガイド溝と、スピーカターミナル側の壁部の略中央に設けられた中央壁と、この中央壁の両側に設けられた中央壁側の下方に開口を設けた前記フレキシブルワイヤーを位置決めする挟持部とで構成することで、上方に配置されたフレキシブルワイヤーを下方に移動させることで容易に挟持部に移動させることが可能となって、スピーカへのフレキシブルワイヤーの組み込みを容易とする組立作業性に優れたスピーカの提供を可能とするものである。
【００１１】
本発明のスピーカの請求項２に記載のものは、請求項１に記載のボイスコイル側の壁部に設けられた一対のガイド溝をＶ字状にしたものであり、ガイド溝をＶ字状としたために、案内されたフレキシブルワイヤーは若干の位置ずれがあっても前記ガイド溝の底またはその近傍へ確実に容易に配置でき、フレキシブルワイヤーの位置決めを容易に行い、スピーカ駆動時の振動板やダンパーとフレキシブルワイヤーとの衝突を抑制し、異音の発生やフレキシブルワイヤーの損傷を抑制するものである。
【００１２】
本発明のスピーカの請求項３に記載のものは、請求項１に記載の中央壁の裾野を挟持部の開口またはその近傍または挟持部の内部まで連続させたものであり、上方に配置されたフレキシブルワイヤーを下方に移動させることで容易に挟持部まで案内することが可能となって、フレキシブルワイヤーを確実により作業性良く組み込みできるものである。
【００１３】
本発明のスピーカの請求項４に記載のものは、請求項１に記載のスピーカの少なくとも中央溝とスピーカターミナル側の壁部の外側に平坦部を設けたものであり、請求項１に記載のフレキシブルワイヤーを保持しつつ、この平坦部を挟持部の開口から奥側（中央側から夫々の外方）に向けて、フレキシブルワイヤーの保持治具を摺接することで治具を用いて容易に前記挟持部内に前記フレキシブルワイヤーを配置できる自動組み立てに寄与する構成のスピーカの提供を可能とするものである。
【００１４】
本発明のスピーカの製造方法の請求項５に記載のものは、上方に配置されたフレキシブルワイヤーを先端に凹部を設けた１対の突片のこの凹部に引掛けた状態で、請求項４に記載の２つの平坦部に前記フレキシブルワイヤーおよびまたは前記突片を押圧し、摺接させて、前記フレキシブルワイヤーを挟持部開口から内部に案内するスピーカの製造方法であり、請求項４に記載のスピーカの組み立てにおいて、柔軟性を有するフレキシブルワイヤーの作業性の向上を図り、機械組立て可能なスピーカの製造方法を提供するものである。
【発明の効果】
【００１５】
以上のように本発明のスピーカは、ターミナルとボイスコイル間を接続するフレキシブルワイヤーを容易に中継部へ固定できる構造を備え、この中継部における組立て作業を容易に行えるようにして組み立ての作業性の良いものとするとともに、スピーカ駆動時のフレキシブルワイヤーの振幅による他部品（ダンパー、振動板）との衝突による異音の発生をも防止した優れたスピーカの提供を可能とするものである。
【発明を実施するための最良の形態】
【００１６】
以下、本発明のスピーカの一実施の形態について図１から図３により説明する。なお、従来技術と同一部分には同一番号を付与し、説明を省略して説明する。
【００１７】
（実施の形態１）
図１は本発明のスピーカの一実施の形態におけるフレキシブルワイヤーを配置する組み立て状況を斜め上方から見た斜視図であり、図２は同要部である中継部の斜視図であり、図３は同要部である中継部付近の上面図である。
【００１８】
同図により従来技術との相違点のみ説明すると、１１は中継部であり、従来の技術の中継部８に対応するものである。
【００１９】
この中継部１１はプラスチック製のフレーム１と一体成型されている（中継部を別個にプラスチック成型等により設け、フレーム１に装着しても良い）。
【００２０】
また、この中継部１１は、平坦な中央溝１１ａを間にしてスピーカターミナル２側の壁部１１ｂとボイスコイル３側の壁部１１ｃが対峙する形で設けられ、ボイスコイル３側の壁部１１ｃの内側は傾斜して設けられ、更に、Ｖ字形状の一対のガイド溝１１ｄが形成されている。
【００２１】
更にこの中継部１１には、スピーカターミナル２側の壁部１１ｂの略中央に設けられた裾野が広がった円錐状の中央壁１１ｅと、この中央壁１１ｅの両側に設けられた中央壁１１ｅ側の下方に開口１１ｇを設けたフレキシブルワイヤー６を位置決めする挟持部１１ｆと、前記スピーカターミナル２側の壁部１１ｂの外側にこの壁部１１ｂに沿って設けられた平坦部１１ｈが形成されている。
【００２２】
なお、前記Ｖ字状のガイド溝１１ｄに沿ってフレキシブルワイヤー６を適宜の位置まで持ち上げてスピーカ駆動時にフレキシブルワイヤー６が振動板５またはダンパー４の異常振幅によってこれらと衝突して異音を発生したりすることのない位置に配置されるように円弧状の曲線を形成するように壁部１１ｃにより位置設定され、夫々のガイド溝１１ｄ内に夫々のフレキシブルワイヤー６が沿わされるため、絶縁被覆されていないフレキシブルワイヤー６相互の接触を防止することとなる。
【００２３】
また、壁部１１ｂの中央壁１１ｅも同様の接触防止の機能を有している。
【００２４】
次に、このフレキシブルワイヤー６の中継部１１への位置決め作業の手順について説明すると、所定の長さに切断されたフレキシブルワイヤー６は上方から下方に中央壁１１ｅに沿って移動させ、挟持部１１ｆの開口１１ｇから挿入する。フレキシブルワイヤー６は単線ではなく、複数の導線を編む等により形成して表面に凹凸を設けているために挟持部１１の角と接触して、若干の引っ張りなどに対しては外れることがないようになる。
【００２５】
このとき壁部１１ｃに乗り上げる形になるフレキシブルワイヤー６は、壁部１１ｃの傾斜に沿って曲げられ、Ｖ字状のガイド溝１１ｄの底に沿うように配置される。
【００２６】
以上のように、ボイスコイル３との接続およびスピーカターミナル２と接続されるフレキシブルワイヤー６の位置が前記中継部１１の挟持部１１ｆと壁部１１ｃによって特定されることになる。
【００２７】
なお、中央壁１１ｅの裾野を開口１１ｇやその近傍または開口内の挟持部の奥まで延長して設けることで、挟持部１１ｆへのフレキシブルワイヤー６の挿入をより容易にすることも可能である。
【００２８】
以上のように構成されたスピーカは、スピーカの組立自動化（機械化）にも寄与するものとなっている。
【００２９】
即ち、図１に示すように、中継部１１の上方に配置されたフレキシブルワイヤー６（所定の長さに切断され、図示しない手段によって下方へ移動可能に保持されてる）をＶ字状の凹部１２ｂを設けた一対の板状の突片１２ａを有するフレキシブルワイヤー挿入治具（図示せず）の前記凹部１２ｂで引掛けて、このフレキシブルワイヤー挿入治具を前記突片１２ａの先端が夫々中央溝１１ａと平坦部１１ｈに接触するまで下降させ、次に挟持部１１ｆの開口１１ｇから更に、奥に前記フレキシブルワイヤー６を移動するように前記中央溝１１ａと平坦部１１ｈ上を夫々の前記凹部１２ｂを摺接させることで、前記フレキシブルワイヤー６の中継部１１への配置がフレキシブルワイヤー挿入治具により極めて容易に行えるものである。
【産業上の利用可能性】
【００３０】
以上のように本発明のスピーカは、ターミナルとボイスコイル間を接続するフレキシブルワイヤーを容易に中継部へ固定できる構造を備え、この中継部における組立て作業を容易に行えるようにして組み立ての作業性の良いものとするとともに、スピーカ駆動時のフレキシブルワイヤーの振幅による他部品（ダンパー、振動板）との衝突による異音の発生をも防止した優れたスピーカの提供を可能とするものである。
【図面の簡単な説明】
【００３１】
【図１】本発明のスピーカの一実施の形態におけるフレキシブルワイヤーを配置する組み立て状況を斜め上方から見た斜視図
【図２】同要部である中継部の斜視図
【図３】同要部である中継部付近の上面図
【図４】従来のスピーカの半断面図
【図５】同上部から見た振動板を取り除いた状態の上面図
【図６】同要部である中継部へのフレキシブルワイヤーの取り付けを説明する中継部の斜視図
【符号の説明】
【００３２】
１  フレーム
２  スピーカターミナル
２ｂ  端子板
３  ボイスコイル
６  フレキシブルワイヤー
１１  中継部
１１ａ  中央溝
１１ｂ，１１ｃ  壁部
１１ｄ  ガイド溝
１１ｅ  中央壁
１１ｆ  挟持部
１１ｇ  開口
１１ｈ  平坦部
１２ａ  突片
１２ｂ  凹部
【図１】
2005150900.tif 000003
【図２】
2005150900.tif 000004
【図３】
2005150900.tif 000005
【図４】
2005150900.tif 000006
【図５】
2005150900.tif 000007
【図６】
2005150900.tif 000008